(57)【要約】【課題】送風ファンからの冷却風が誘導加熱コイルの片側に集中して温度差が大きくなるという課題を解決し、必要な冷却風量を最小限にして、送風ファンを含む冷却構造のコンパクト化と低騒音化を実現する【解決手段】本体２の上面に設けられたトッププレート３と、該トッププレート３下方の本体２内に配置された誘導加熱コイル１３と、該加熱コイル１３を制御する電子制御基板を内蔵した基板ケース１６と、加熱コイル１３と電子制御基板を冷却する送風ファン１５とよりなる誘導加熱調理器において、前記誘導加熱コイル１３に冷却風路１９を通して送風ファン１５からの冷却風を送風する如くなし、該冷却風路１９は、冷却風の送風入口２０と、その反対側で誘導加熱コイル１３の下面に開口するように設けられた送風出口筒２１よりなり、該送風出口筒２１はその内部に誘導加熱コイル１３に冷却風を分散、反射させて略垂直に当てる複数個の反射板２２を備えた。【選択図】図２
2008021472.tif 000002
【特許請求の範囲】
【請求項１】
本体上面に設けられたトッププレートと、該トッププレート下方の本体内に配置された誘導加熱コイルと、前記本体内に設けられ該誘導加熱コイルの駆動を制御する電子制御基板を内蔵した基板ケースと、前記加熱コイルと電子制御基板を冷却する送風ファンと、前記誘導加熱コイルに前記送風ファンからの冷却風を導く冷却風路と、この冷却風路に設けられる冷却風の送風入口と、その反対側で前記誘導加熱コイルの下面に開口するように設けられた送風出口筒と、この送風出口筒の内部に設けられ前記誘導加熱コイルに冷却風を導く導風板とを有する誘導加熱調理器。
【請求項２】
請求項１記載の誘導加熱調理器において、前記送風出口筒に至る前の誘導加熱コイルの周縁部と対向した位置に設けられた反射案内筒と、この反射案内筒の下部に前記冷却風路内を流れる冷却風を遮り、前記反射案内筒内に流入させる反射壁と、前記誘導加熱コイルの前記周縁部に開口する前記送風出口筒に設けられた上開口部と、を有する誘導加熱調理器。
【請求項３】
請求項１記載の誘導加熱調理器において、前記送風出口筒内に放射状に設けられた複数の導風板を設け、それら複数の導風板の外側壁面は、前記送風出口筒の上面と略同一の高さを有し、当該複数の導風板の中心側壁面は前記外側壁面より高さを低くした誘導加熱調理器。
【請求項４】
請求項１記載の誘導加熱調理器において、前記誘導加熱コイルの下面に開口した前記送風出口筒内に、冷却風の流れを遮るように該冷却風の流れ方向に沿って複数の導風板を有し、それらの複数の導風板の深さが順番に深くなるように並べた誘導加熱調理器。
【発明の詳細な説明】
【技術分野】
【０００１】
本発明は、調理鍋等を加熱する誘導加熱コイルを有する誘導加熱調理器に関する。
【背景技術】
【０００２】
従来の誘導加熱調理器は、主な加熱手段が誘導加熱コイルであり、これによって発生する磁束により耐熱ガラス製のトッププレートの上に載せた調理鍋に渦電流を発生させ、調理鍋を加熱するものである。この誘導加熱調理器は、ガスなどの調理器に比べて調理鍋以外への放熱が少なく、熱効率も良好である。
【０００３】
本体の上面には調理鍋を載せるトッププレートを設けられ、このトッププレートの下方で本体の上部左右に誘導加熱コイル、後部側中央部に同じく誘導加熱コイルや抵抗ヒータなどの加熱源を配置し、これらの加熱源の下部左右に出力基板等の制御基板と調理庫内で加熱調理するグリル部を設ける構成のものが一般的である。
【０００４】
このような構成の誘導加熱調理器は、調理鍋の加熱時に鍋だけでなく、誘導加熱コイルや制御基板などからも発熱が生じるため、冷却ファンを用いて送風冷却が行われる。
【０００５】
その送風冷却の例として、例えば特許文献１，特許文献２に記載されているものがある。
【０００６】
【特許文献１】特開２００３−７７６３７号公報
【特許文献２】特開２００３−８６３３９号公報
【発明の開示】
【発明が解決しようとする課題】
【０００７】
特許文献１に示すものは、本体の上部後方の一側に吸気口、他側に排気口を設け、吸気口の下方の本体後部に送風ファンを有する。この送風ファンの吹出口と本体内の上部左右に配置した誘導加熱コイルとの間に、該コイル側に上向き傾斜する専用風路を備え、送風ファンから専用風路を通して誘導加熱コイルに斜め上向きに送風し、該誘導加熱コイルを冷却するものである。
【０００８】
また、特許文献２に示すものは、特許文献１に示す専用風路を設けず、制御基板を収納した収納ケースの上面に、本体内の上部左右に配置した誘導加熱コイルと対向するように冷却空気噴出口を開口させ、送風ファンからの冷風を収納ケース内に送風して制御基板を冷却した後、冷却空気噴出口から誘導加熱コイルの下面に送風し、該誘導加熱コイルを冷却するものである。
【０００９】
これらの従来の冷却構造において、特許文献１に示すものは、本体内の限られたスペース内に制御基板やロースター部、複数個の誘導加熱コイル等を収納しなければならないという構造上の制限から、誘導加熱コイルの直下から該誘導加熱コイル全体に対して垂直に送風する構造にすることができない。その代わりに、上記したように送風ファンの吹出口と誘導加熱コイルとの間に専用風路を備え、送風ファンから専用風路を通じて誘導加熱コイルに送風し、誘導加熱コイルを冷却するようにしている。
【００１０】
しかし、この構造では、冷却風を誘導加熱コイルの全面に均等に当てることができず、誘導加熱コイルの一部、すなわち冷却風が当たり終わる一番遠い部分に冷却風が集中してしまう。
【００１１】
このため、冷却風の当たらない部位と当たる部位の冷却効果の差、すなわち、誘導加熱コイルの部位によって温度差が大きくなる。従って誘導加熱コイルの冷却風が直接当たらない部分の温度上昇を抑えるには、より多くの風量を必要とするという課題があった。
【００１２】
また、送風ファンに近い側の誘導加熱コイルから遠い側の誘導加熱コイルに向けて専用風路を設けることにしても、送風ファンに近い側の誘導加熱コイルを通過してから遠い側の誘導加熱コイルに到達するため、その間に冷却風の温度が上昇し、遠い側の誘導加熱コイルの後方部を十分に冷却することができず、誘導加熱コイルの各部位によって温度差が大きくなる。この温度差をなくすためには、より多くの風量が必要とするという前記と同様の課題があった。
【００１３】
さらに特許文献１に示された誘導加熱コイルに斜め上向きに送風する冷却構造では、誘導加熱コイルの冷却を必要とする部分に対して垂直方向に送風されていないため、十分な冷却効果を得られないという課題もあった。
【００１４】
また、特許文献２に示すものは、制御基板を収納した収納ケースの上面に、本体内の上部左右に配置した誘導加熱コイルと対向するように冷却空気噴出口を開口させているだけであるため、冷却空気噴出口から吹き出された冷却風はその周囲に放散されて誘導加熱コイルを効率よく冷却することができないものであった。
【００１５】
また、特許文献２に示すものは、特許文献１と同様に、誘導加熱コイルの要冷却面に対して垂直方向に送風していないため、十分な冷却効果を得られないという課題があった。
【００１６】
本発明は、上述の課題の少なくとも一つを解決して、誘導加熱調理器における誘導加熱コイルの冷却効率を高めることを目的とする。
【課題を解決するための手段】
【００１７】
上記従来の課題を解決するために、本発明の請求項１に記載する誘導加熱調理器は、本体上面に設けられたトッププレートと、該トッププレート下方の本体内に配置された誘導加熱コイルと、前記本体内に設けられ該誘導加熱コイルの駆動を制御する電子制御基板を内蔵した基板ケースと、前記加熱コイルと電子制御基板を冷却する送風ファンと、前記誘導加熱コイルに前記送風ファンからの冷却風を導く冷却風路と、この冷却風路に設けられる冷却風の送風入口と、その反対側で前記誘導加熱コイルの下面に開口するように設けられた送風出口筒と、この送風出口筒の内部に設けられ前記誘導加熱コイルに冷却風を導く導風板とを有するものである。
【００１８】
請求項２では、冷却風路に、送風出口筒に至る前の誘導加熱コイルの周縁部と対向した位置に反射案内筒を設け上開口部から噴出する冷却風を誘導加熱コイルの周縁部に当てて冷却するようにしたものである。
【００１９】
請求項３では、送風出口筒内に放射状に設けられた複数の導風板を設け、その外側壁面を送風出口筒の上面と略同一の高さを有して冷却風のほぼ全てを上向きに上昇させるようにし、また中心側壁面の高さを外側壁面よりも低くしてその上部を流れる冷却風を送風出口筒の一番遠い壁面まで到達させて上向きに上昇させるようにしたものである。
【００２０】
請求項４では、前記冷却風路において、誘導加熱コイルの下面に開口した送風出口筒内に、冷却風の流れを遮るように該冷却風の流れ方向に複数個の反射板を下部の深さが順番に深くなるように並べて設けたものである。
【発明の効果】
【００２１】
本発明によれば、冷却風が誘導加熱コイルに向けて効率よく当てることができ、誘導加熱調理器を効率よく冷却できるようにするものである。
【発明を実施するための最良の形態】
【００２２】
以下、本発明の実施例を添付図面に従って説明する。
【実施例１】
【００２３】
図１から図５は本発明の誘導加熱調理器の一実施例を示している。図１に示されている調理器は、以下に詳細に説明するが、トッププレート３上の三個所に鍋載置部６ａ，６ｂ，６ｃを設けたビルトイン型の誘導加熱調理器である。
【００２４】
尚、本実施例は、キッチンに嵌め込むビルトイン型でなく、キッチンに載置する据置型の加熱調理器に適用しても差し支えない。
【００２５】
誘導加熱調理器は、本体２がシステムキッチン１の開口部へ上から落とし込んで設置することで、システムキッチン１に組み込まれる。設置後は後述するグリル機能を備えたロースター部４と操作部パネル５がシステムキッチン１の前面部から操作できるようになっている。
【００２６】
調理を行う際の調理鍋（図示せず）は、本体２の上面に設けられた耐熱ガラスや金属のフレームからなるトッププレート３上に載置される。
【００２７】
調理鍋は、トッププレート３に描かれた載置部６に載置されることで調理可能となる。載置部６は、トッププレート３の前面側に載置部右６ａと載置部左６ｂが設けられている。これら両載置部６ａ，６ｂの間の奥側中間部に載置部中央６ｃが配置されている。
【００２８】
トッププレート３の鍋載置部６ａ，６ｂ，６ｃに対応した本体２内の上部には、調理鍋を加熱するための誘導加熱コイル右１３ａ，誘導加熱コイル左１３ｂからなる誘導加熱コイル１３，抵抗ヒータ中央１３ｃがそれぞれ設置されている。尚、抵抗ヒータ中央１３ｃは、誘導加熱コイルであってもよい。
【００２９】
載置部中央６ｃは、位置的に使用者の手の届きにくい場所である。このため、手前の載置部右６ａ，載置部左６ｂに調理鍋が置かれた状態では、載置部中央６ｃに手を伸ばすと、載置部右６ａ，載置部左６ｂに置かれた調理鍋から調理中に発生する蒸気により、載置部中央６ｃで手を動かす調理は行いにくい。
【００３０】
従って、載置部中央６ｃで行う調理の種類は、調理者があまり手を動かさなくても良い料理、主に煮込みや保温などの調理に適している。
【００３１】
また、煮込みや保温は、火力も弱くて済み、誘導加熱調理器を使用するにあたり最大消費電力の制限があることから、載置部中央６ｃに設置する抵抗ヒータ中央１３ｃの火力を、載置部右６ａ及び載置部左６ｂに対応して設置されている誘導加熱コイル右１３ａ及び誘導加熱コイル左１３ｂより弱くし、抵抗ヒータ中央１３ｃの消費電力が小さくなるよう設定されている。
【００３２】
本実施例では、誘導加熱コイル右１３ａと誘導加熱コイル左１３ｂは、略３ｋｗ、載置部中央６ｃに設置される抵抗ヒータ中央１３ｃは、略１.６ｋｗ である。
【００３３】
誘導加熱コイル右１３ａ，誘導加熱コイル左１３ｂには、図示しないが、調理鍋を加熱するためにインバータ手段から数十ｋＨｚ、数百Ｖの電圧が印加される。
【００３４】
図１において、トッププレート３の周囲には、端面を保護するためのフレーム１４が設けられている。このフレーム１４は、４つの部材からなる。
【００３５】
トッププレート３の手前の前端縁に取り付けられるフレーム前１４ａと、プレート３の後端縁に取り付けられるフレーム後１４ｂと、右端縁に取り付けられるフレーム右１４ｃと、左端縁に取り付けられるフレーム左１４ｄとが、トッププレート３の周囲の端部に取り付けられる。本実施例では４ピースにフレームを分割しているが、一体型でも２ピースでも何ピースでも可能である。
【００３６】
また、プレート３の４辺に取り付ける必要もなく、プレート３の手前だけ、後方だけ、前後の２辺だけ、若しくは左右の二辺だけでも良い。
【００３７】
本体２の内部は、図２，図３に示すように仕切り板１７によって上下二段に仕切られている。上側には誘導加熱コイル右１３ａ，誘導加熱コイル左１３ｂ，抵抗ヒータ中央13ｃが設けられている。下側にはこれらの発熱部を制御する各種の電子制御基板（図示せず）を内蔵した基板ケース１６と後述する冷却用の送風ファン１５が設けられている。
【００３８】
本体２の後部上面の右側には、送風ファン１６と対向するように外部から空気を吸込むための吸気口７が設けられている。この吸気口７は、同じく本体２の後部上面の左側に設けた排気口８の右側に位置する。
【００３９】
送風ファン１５は、本体２内の仕切り板１７の下方において、吸気口７と基板ケース
１６の後部との間に配置されている。
【００４０】
送風ファン１５によって吸気口７から吸入された空気は、基板ケース１６内の電子制御基板を冷却した後、仕切り板１７の上面側に流出し、その上面の誘導加熱コイル右１３ａと、後記する冷却風路１９を通して誘導加熱コイル左１３ｂを冷却した後に、排気口８から本体２外に排出される。また、この排気口８からは、後述するロースター部４の廃熱も排気に伴って排出される。
【００４１】
図１において、ロースター部４は、魚やピザ等を焼くためのもので、本体２前面部の左側若しくは右側に配置されており（本実施例では左側）、前面に中の焼け具合を覗き見できるハンドル１１を有するロースタードア３２を備えている。なお、このロースター部４は、魚焼き専用ではないので、グリル若しくはオーブンと呼ぶこともある。
【００４２】
上面操作部９は、複数のタクトスイッチで構成され、フレーム前１４ａに設けられており、誘導加熱コイル右１３ａ，誘導加熱コイル左１３ｂ，抵抗ヒータ中央１３ｃの火力調節や調理タイマーの設定、調理メニューの呼び出し、保温や煮物，自動炊飯，揚げ物調理等の設定，加熱の開始や停止等を行うスイッチが設けられている。本体２の前面の操作パネル５で操作しなくとも、本体２の上面で簡単に操作できるようになっている。
【００４３】
上面表示部１０は、上面操作部９と並んでトッププレート３の前側に設けられている。上面操作部９で設定した火力設定や調理メニュー，タイマー値，調理温度等を使用者にわかりやすく表示する。
【００４４】
次に図４，図５を用いて誘導加熱コイル左１３ｂを冷却する冷却風路１９の詳細について説明する。
【００４５】
冷却風路１９は、ロースター部４の上面において、送風ファン１５と誘導加熱コイル左１３ｂを連通する略四角筒状の通路である。冷却風路１９の一方の開口部は、送風ファン１５によって基板ケース１６内の電子制御基板および誘導加熱コイル右１３ａを冷却した後の冷却風を流入させるための送風入口２０である。
【００４６】
その送風入口２０の反対側には、誘導加熱コイル左１３ｂより小径で、その下面に適宜隙間を保持して開口する略円筒状の送風出口筒２１を冷却風路１９は連結する。その送風出口筒２１内には、右反射板２２ａ，左反射板２２ｂ，中央反射板２２ｃからなる略放射状の反射板２２を設けている。反射板２２は、それぞれが冷却風の向きを変える役割を持つ導風板である。
【００４７】
右反射板２２ａ，左反射板２２ｂ，中央反射板２２ｃは、それぞれ外側に高くなる外側壁面と、送風出口筒２１の中央に伸びる外側壁面よりも低い下側壁面とを有する。
【００４８】
右反射板２２ａ，左反射板２２ｂは、送風出口筒２１内に流出する冷却風を遮るように、冷却風路１９の冷却風流出側に対面する。その下側を流れる風を送風出口筒２１の略中心部まで到達する前に、右反射板２２ａ，左反射板２２ｂの下側壁面に衝突させて上向きに上昇させる。
【００４９】
また、中央反射板２２ｃは右反射板２２ａ，左反射板２２ｂを通過した後の冷却風を左右に分散させながら遠くまで到達するようにし、送風出口筒２１の内壁面に沿って上向きに上昇させる。
【００５０】
そのために、右反射板２２ａ，左反射板２２ｂ，中央反射板２２ｃは、その外側壁面を送風出口筒２１の上面と略同一となるように高くして、冷却風のほぼ全てを上向きに上昇させるようにし、また中心側の壁面（下側壁面）の高さを低くして、その上部を流れる冷却風を送風出口筒２１の一番遠い壁面まで到達して上向きに上昇するように略Ｌ状としている。
【００５１】
これによって、送風出口筒２１内に流出した冷却風は、その上面に配置された誘導加熱コイル１３ｂの全面に均一に当たり、該誘導加熱コイル１３ｂを効率よく冷却するものである。
【００５２】
また、冷却風路１９において、送風出口筒２１に至る前の上面には、該送風出口筒２１内に通じる複数個の反射案内筒２３（図では二個）が設けられている。これらの反射案内筒２３ａ，２３ｂは、下部に冷却風路１９内を流れる冷却風を遮り、反射案内筒２３内に冷却風を流入させる壁２３ｄを有する。
【００５３】
一方、反射案内筒２３の上開口部は、送風出口筒２１に至る前の誘導加熱コイル左13ｂの周縁部に沿って開口する。これによって反射案内筒２３の上開口部から噴出する冷却風を送風出口筒２１に至る前の誘導加熱コイル左１３ｂの周縁部に略垂直に当てて冷却する。
【００５４】
次に、トッププレート３の載置部左６ｂに調理鍋を載せ、誘導加熱コイル左１３ｂにより加熱する場合について説明する。
【００５５】
先ず、トッププレート３の載置部左６ｂに調理鍋を載せた後、操作パネル５の電源入り切りスイッチをＯＮにする。
【００５６】
次に、誘導加熱コイル左１３ｂの加熱出力を設定するとともに、調理する内容に応じてトッププレート３の手前側に設けられている上面操作部９で火力調節や調理タイマーの設定，調理メニューを呼び出し保温や煮物，自動炊飯，揚げ物調理等の設定，調理温度の設定，加熱の開始等を行う。
【００５７】
このとき、この上面操作部９で設定した火力設定や調理メニュー、タイマー値，調理温度等は上面表示部１０に使用者が判りやすいように表示される。
【００５８】
調理が始まると、使用者は、調理内容に応じて進行具合を見ながら調理鍋に調味料等を入れ、好みの味付けに仕上げる。以上の動作によって調理は完了する。
【００５９】
次に、この動作中における誘導加熱コイル左１３ｂの冷却について、詳細について説明する。
【００６０】
図２および図３に示すように、誘導加熱コイル左１３ｂでの過熱化が開始されると送風ファン１５の駆動によって矢印のように吸気口７から本体２内に冷却風が流入する。送風ファン１５から基板ケース１６内に流入した冷却風は制御基板を冷却した後、基板ケース１６の上面に流出する。そして、その流出した冷却風は、直接またはその真上に配置されている誘導加熱コイル右１３ａを冷却した後、冷却風路１９の送風入口２０から冷却風路１９内に流出し、その一部の冷却風は送風出口筒２１に至る前に反射案内筒２３の反射壁２３ｄに当たって反射案内筒２３内に流入し、送風出口筒２１に至る前の誘導加熱コイル左１３ｂの周縁部に流出して該周縁部を冷却する。
【００６１】
一方、送風出口筒２１内に流出した冷却風は、矢印のように右反射板２２ａ，左反射板２２ｂの中心部側の下側壁面と外側壁面に当たって送風出口筒２１の略中心部まで到達する前に上向き上昇し、また、右反射板２２ａ，左反射板２２ｂの上側を通過した風は、中央反射板２２ｃによって左右に分散しながら遠くまで到達し、送風出口筒２１の内壁面に沿って上向きに上昇する。
【００６２】
これによって、送風出口筒２１内に流出した冷却風は、その上面に配置された誘導加熱コイル１３ｂの全面に略垂直に上昇して均一に当たり、該誘導加熱コイル１３ｂを冷却する。
【００６３】
すなわち、送風出口筒２１内に流入した冷却風は、右反射板２２ａ，左反射板２２ｂと中央反射板２２ｃによってそれぞれの壁面で反射され、分散した流れになり、上昇して誘導加熱コイル左１３ｂの中央，周縁部に送風し、冷却するものである。
【００６４】
また、右反射板２２ａ，左反射板２２ｂと中央反射板２２ｃに当たらない他の冷却風も送風出口筒２１の内壁に沿って上向きに上昇し、左加熱装置の中央，左側へ送風し、冷却するものである。これによって誘導加熱コイル左１３ｂは全面が均一に冷却されるものである。
【００６５】
なお、上記実施例では、冷却風路１９に二個の反射案内筒２３を設け、また、送風出口筒２１内に右反射板２２ａ，左反射板２２ｂ，中央反射板２２ｃと三枚の反射板を設けたが、これらは二個または三枚に限定されるものではなく、その配置個数や配置位置を変えることにより、精度良く誘導加熱コイル左１３ｂの全面を均一に冷却することができる。
【００６６】
また、反射案内筒２３の内径や、反射板２２、すなわち右反射板２２ａ，左反射板22ｂ，中央反射板２２ｃの壁面の高さを変えることにより、冷却風量や冷却送風の範囲を容易に分配，調整し、冷却風を均等、かつ、略垂直に上昇させて誘導加熱コイル左１３ｂの全面を均一に冷却することができる。
【実施例２】
【００６７】
図６および図７によって第２の実施例を説明する。
【００６８】
前記と同一の冷却風路１９において、送風出口筒２１に至る前の上面左，中央，右に誘導加熱コイル左１３ｂの周縁部に沿うように三個の反射案内筒２３ａ，２３ｂ，２３ｃが設けられている。これらの反射案内筒２３は、実施例１と同様に、下部に冷却風路１９内を流れる冷却風を遮り、反射案内筒２３内に流入させる反射壁２３ｄを設け、上面開口部を送風出口筒２１に至る前の誘導加熱コイル左１３ｂの周縁部に開口させており、送風出口筒２１の上面開口部から噴出する冷却風を前記周縁部に当てて冷却するようにしている。
【００６９】
また、誘導加熱コイル左１３ｂより小径で、その下面に開口した略円筒状の送風出口筒２１内に、冷却風の流れを遮るように該冷却風の流れ方向に沿って複数個（図では５個）の反射板２４ａ〜２４ｅを下部の深さが順番に深くなるように並べて設けたものである。
【００７０】
この構成によれば、図７に示すように、冷却風路１９の送風入口２０から冷却風路１９内に流出した冷却風の一部は、送風出口筒２１に至る前の反射案内筒２３ａ，２３ｂ，
２３ｃの反射壁２３ｄに当たって反射案内筒２３内にほぼ垂直に流入し、送風出口筒２１に至る前の誘導加熱コイル左１３ｂの周縁部に流出して該周縁部を冷却する。
【００７１】
一方、冷却風路１９から送風出口筒２１に流入した大半以上の冷却風は、下部の深さが順番に深くなるように並べて設けられた反射板２４ａ〜２４ｅに順次当たり、上向きに反射して上昇する。これによって、送風出口筒２１内に流出した冷却風は、その上面に配置された誘導加熱コイル１３ｂの全面に均一に当たり、該誘導加熱コイル１３ｂを冷却する。
【００７２】
なお、反射案内筒２３は、その内径、反射板２４ａ〜２４ｅは、各間隔や段差となっている高さ、すなわち、反射板２４ａ〜２４ｅの高さの差、例えば、反射板２４ｃと２４ａの間隙ΔＷｃ，高さΔＨｃを変えることによりそれぞれ冷却風量を容易に分配、調整することができ、さらに冷却風送風範囲を調整することもでき、誘導加熱コイル左１３ｂに冷却風を反射、分散させてほぼ垂直に上昇させ、均一に当てることができる。
【００７３】
なお、上記した実施例１および実施例２においては、誘導加熱コイル左１３ｂに冷却風路１９を設けた例について説明したが、この冷却風路１９は誘導加熱コイル右１３ａにも実施することができる。
【００７４】
すなわち、図２および図３においては、送風ファン１５の駆動によって吸気口７から本体２内に流入した冷却風をすべて基板ケース１６内に流入させ、その中の制御基板を冷却した後、冷却風路１９を通して誘導加熱コイル右１３ａ側に冷却風を送るようにしている。
【００７５】
しかし、送風ファン１５からの冷却風を基板ケース１６の内部と基板ケース１６の上面側に分流させてその上面側の冷却風で誘導加熱コイル右１３ａを冷却してもよく、その場合には基板ケース１６の上面に冷却風路１９を配置して送風ファン１５と誘導加熱コイル右１３ａを連結すれば、上記実施例と同様の作用，効果を奏することができる。また、抵抗ヒータ中央１３ｃを誘導加熱コイルに置き換えた場合にはこれにも実施することができる。
【００７６】
以上のように本実施例によれば、冷却風路を通して送風出口筒内に流入した冷却風は、各反射板によってそれぞれの壁面で反射され、分散した流れになり、略垂直に上昇して誘導加熱コイルの中央，周縁部に送風し、冷却するものである。また、反射板に当たらない他の冷却風も送風出口筒の内壁に沿って上向きに上昇し、誘導加熱コイルに略垂直に当たって冷却するものである。これによって誘導加熱コイルは全面が均一に効率よく冷却されるものである。
【００７７】
また、冷却風路の送風入口から冷却風路内に流入した冷却風のうち一部は送風出口筒に至る前の上面に設けられた反射案内筒の反射壁に当たって反射案内筒内に略垂直に流入し、送風出口筒に至る前の誘導加熱コイルの周縁部に流出して該周縁部を冷却するものであり、誘導加熱コイルはさらに全面が均一に効率よく冷却されるものである。
【００７８】
従って、従来のように、冷却風が誘導加熱コイルの片側に集中して温度差が大きくなるという問題がなくなり、必要な冷却風量を最小限にすることができ、冷却ファンを含む冷却構造のコンパクト化及び冷却ファンの低い回転数での低騒音化を実現することができる。
【図面の簡単な説明】
【００７９】
【図１】本発明の誘導加熱調理器をシステムキッチンに組み込んだ状態の斜視図である。
【図２】同誘導加熱調理器における内部構造の斜視図である。
【図３】同内部構造を説明するための平面図である。
【図４】同冷却風路の一実施例の斜視図である。
【図５】同実施例の縦断面図である。
【図６】同他の実施例における冷却風路の斜視図である。
【図７】同実施例における縦断面図である。
【符号の説明】
【００８０】
２…本体、３…トッププレート、７…吸気口、８…排気口、１３ａ…誘導加熱コイル右、１３ｂ…誘導加熱コイル左、１５…送風ファン、１６…基板ケース、１９…冷却風路、２０…送風入口、２１…送風出口筒、２２，２４…反射板、２３…反射案内筒。
【図１】
2008021472.tif 000003
【図２】
2008021472.tif 000004
【図３】
2008021472.tif 000005
【図４】
2008021472.tif 000006
【図５】
2008021472.tif 000007
【図６】
2008021472.tif 000008
【図７】
2008021472.tif 000009